(57)【特許請求の範囲】
【請求項１】
液体用紙容器の口栓取付け孔に内付けで突設され、開封用筒体を移動可能に内蔵し下端を封止フィルムで封止するスパウトと該スパウトに螺着するキャップとからなり、前記キャップを回転して前記スパウトから取り外すときに、前記キャップのガイド用内筒の外周面に設けられた案内斜面と前記開封用筒体の内周面に設けられた案内斜面との摺接により前記開封用筒体を下方へ移動させて、該開封用筒体の下端に設けられた開封刃で前記封止フィルムを破断する口栓において、内周面に螺合部を設けた前記キャップの周壁の下端に、複数のストッパー突起を内面の同一水平線上にほぼ等間隔で設けた不正開封防止環部を、リング状の切込み線を介して内側をほぼ等間隔に設けた複数の薄肉リブで連設し、且つ、前記スパウトの注出筒のキャップとの螺合部の下方の外周面に、前記不正開封防止環部のストッパー突起と嵌合するストッパーリングを設けたことを特徴とする不正開封防止付開封刃内蔵口栓。
【請求項２】
封止フィルムで封止された液体用紙容器の注出孔に外付けで突設され、開封用筒体を移動可能に内蔵するスパウトと該スパウトに螺着するキャップとからなり、前記キャップを回転して前記スパウトから取り外すときに、前記キャップのガイド用内筒の外周面に設けられた案内斜面と前記開封用筒体の内周面に設けられた案内斜面との摺接により前記開封用筒体を下方へ移動させて、該開封用筒体の下端面に設けられた開封刃で前記封止フィルムを破断する口栓において、内周面に螺合部を設けた前記キャップの周壁の下端に、複数のストッパー突起を内面の同一水平線上にほぼ等間隔で設けた不正開封防止環部を、リング状の切込み線を介して内側をほぼ等間隔に設けた複数の薄肉リブで連設し、且つ、前記スパウトの注出筒のキャップとの螺合部の下方の外周面に、前記不正開封防止環部のストッパー突起と嵌合するストッパーリングを設けたことを特徴とする不正開封防止付開封刃内蔵口栓。
【発明の詳細な説明】
【０００１】
【発明の属する技術分野】
本発明は、清酒、果汁飲料、調味料などに使用される液体用紙容器の頂部に突設される不正開封防止付開封刃内蔵口栓に関するものである。
【０００２】
【従来の技術】
従来、液体用紙容器（２０）には、例えば図４（ａ）に示すように、四角柱状の胴部（２１）をもち、その切妻屋根形の頂部傾斜板（２２）には、注出のし易さから開封刃内蔵口栓（１０）が突設されたものが広い商品分野において使用されてきた。この開封刃内蔵口栓（１０）には、例えば図４（ｂ）に示すように、下端に開封刃（３１０）を設けた開封用筒体（３００）をスパウト（１００）（注出口具）に昇降可能に内蔵し、スパウトに螺着したキャップ（２００）を取り外し方向へ回転させたときに、キャップの天板の中央位置に垂設されたガイド用内筒の外周面に設けられた螺旋状の案内斜面と、開封用筒体の内周面に設けられた螺旋状の案内斜面との摺接によって、開封用筒体（３００）を降下させ、この開封用筒体の下端に設けられた開封刃（３１０）で液体用紙容器を封止する封止フィルム（４００）を破断して開口するものが知られていた。そして、この開封刃内蔵口栓には、例えば実開平２−１６２７号公報に記載されているように、スパウトの下面に封止フィルムを熱融着して注出筒の下部開口部を封止した口栓を、液体用紙容器の口栓取付孔に注出筒を突出させて、フランジの上面を容器の内面に熱融着して取り付ける内付けのものと、例えば実公平５−３５０５８号公報に記載されているように、液体用紙容器の封止フィルムで封止した注出孔の外周縁部上面に、口栓のフランジの下面を熱融着して取り付ける外付けのものとがある。
【０００３】
【発明が解決しようとする課題】
しかしながら、上述の従来の開封刃内蔵口栓には、不正開封防止機能が付いてなく、また、最近、封止フィルムがアルミニウム箔からセラミック蒸着フィルムへ代替されるにつれて開封強度の低下改善が進められており、流通過程で誤って又は故意に開封されても、商品の外観からは判断することが難しく、商品のバージン性が損なわれたり、また、商品の内容物に悪影響を及ぼすことがあった。
【０００４】
本発明は、上述の従来の開封刃内蔵口栓の問題を解決するものであり、商品のバージン性を確保し、また、いったん商品が開封されたら開封されていることが外観から明確に判断可能な不正開封防止付開封刃内蔵口栓を提供するものである。
【０００５】
【課題を解決するための手段】
すなわち、本発明の第１の発明は、液体用紙容器の口栓取付け孔に内付けで突設され、開封用筒体を移動可能に内蔵し下端を封止フィルムで封止するスパウトと該スパウトに螺着するキャップとからなり、前記キャップを回転して前記スパウトから取り外すときに、前記キャップのガイド用内筒の外周面に設けられた案内斜面と前記開封用筒体の内周面に設けられた案内斜面との摺接により前記開封用筒体を下方へ移動させて、該開封用筒体の下端に設けられた開封刃で前記封止フィルムを破断する口栓において、内周面に螺合部を設けた前記キャップの周壁の下端に、複数のストッパー突起を内面の同一水平線上にほぼ等間隔で設けた不正開封防止環部を、リング状の切込み線を介して内側をほぼ等間隔に設けた複数の薄肉リブで連設し、且つ、前記スパウトの注出筒のキャップとの螺合部の下方の外周面に、前記不正開封防止環部のストッパー突起と嵌合するストッパーリングを設けたことを特徴とする不正開封防止付開封刃内蔵口栓である。
【０００６】
また、本発明の第２の発明は、封止フィルムで封止された液体用紙容器の注出孔に外付けで突設され、開封用筒体を移動可能に内蔵するスパウトと該スパウトに螺着するキャップとからなり、前記キャップを回転して前記スパウトから取り外すときに、前記キャップのガイド用内筒の外周面に設けられた案内斜面と前記開封用筒体の内周面に設けられた案内斜面との摺接により前記開封用筒体を下方へ移動させて、該開封用筒体の下端面に設けられた開封刃で前記封止フィルムを破断する口栓において、内周面に螺合部を設けた前記キャップの周壁の下端に、複数のストッパー突起を内面の同一水平線上にほぼ等間隔で設けた不正開封防止環部を、リング状の切込み線を介して内側をほぼ等間隔に設けた複数の薄肉リブで連設し、且つ、前記スパウトの注出筒のキャップとの螺合部の下方の外周面に、前記不正開封防止環部のストッパー突起と嵌合するストッパーリングを設けたことを特徴とする不正開封防止付開封刃内蔵口栓である。
【０００７】
【作用】
本発明の不正開封防止付開封刃内蔵口栓を装着した液体用紙容器は、開封するときには、キャップを取り外し方向へ回転させて、内蔵する開封刃を降下させ、封止フィルムを破断して容器を開封するものであるが、キャップを回転するには、スパウトの注出筒のストッパーリングと嵌合しているストッパー突起をもつ不正開封防止環部（２３０）を、図３に示すように、キャップ（２００）から切込み線（２２２）位置で分離する必要があり、このためには、図１又は図２に示すキャップ（２００）の下端内側で不正開封防止環部（２３０）を接続している複数の薄肉リブ（２２３）を切断しなければならない。この薄肉リブを切断するには、ある程度の力を必要とし、また、不意又は故意に薄肉リブが切断されたことは、外観から明確に判断される。この結果、流通過程における商品のバージン性が確保され、商品に対する信頼性が増す。
【０００８】
【発明の実施の形態】
本発明の一実施形態の不正開封防止付開封刃内蔵口栓（１０）は、図１に示すように、開封用筒体（３００）を移動可能に内蔵し下端を封止フィルム（４００）で封止するスパウト（１００）とこのスパウトに螺着するキャップ（２００）とからなり、液体用紙容器（２０）の口栓取付孔（２４）の周縁部内面に、スパウトの注出筒（１１０）の下端に周設するフランジ（１２０）の上面を超音波溶着法などにより熱融着して接着する所謂内付けで、スパウトの注出筒を口栓取付孔から突出さて取り付けられ、図４（ｂ）に示すように、液体用紙容器（２０）を開封するためにスパウト（１００）に螺合して装着するキャップ（２００）を取り外し方向へ回転してスパウトから取り外すときに、図１に示すキャップ（２００）の天板（２１０）の中央位置に垂設するガイド用内筒（２４０）の外周面に設けられた案内斜面（２４１）と開封用筒体（３００）の内周面に設けられた案内斜面（３０１）との摺接により、図４（ｂ）に示すように、開封用筒体（３００）を下方へ移動させて、開封用筒体の下端に設けられた開封刃（３１０）で封止フィルム（４００）を破断して開封するものである。
【０００９】
また、本発明の他の実施形態の開封刃内蔵口栓は、開封用筒体を移動可能に内蔵するスパウトとこのスパウトに螺着するキャップとからなり、封止フィルムで封止された液体用紙容器の注出孔の周縁部上面に、スパウトの注出筒の下端に周設するフランジの下面を超音波溶着法などにより熱融着して接着する所謂外付けで突設され、液体用紙容器を開封するためにスパウトに螺合して装着するキャップを取り外し方向へ回転してスパウトから取り外すときに、キャップのガイド用内筒の外周面に設けられた案内斜面と開封用筒体の内周面に設けられた案内斜面との摺接により、開封用筒体を下方へ移動させて、開封用筒体の下端面に設けられた開封刃で封止フィルムを破断して開封するものである。
【００１０】
そして、本発明の一実施形態の開封刃内蔵口栓は、図１及び図２に示すように、内周面に螺合部（２２１）を設けたキャップ（２００）の周壁（２２０）の下端に、複数のストッパー突起（２３１）を内面の同一水平線上にほぼ等間隔で設けた不正開封防止環部（２３０）を、リング状の切込み線（２２２）を介して内側をほぼ等間隔に設けた複数の薄肉リブ（２２３）で連設し、且つ、図１に示すように、スパウト（１００）の注出筒（１１０）のキャップとの螺合部（１１１）の下方の外周面に、不正開封防止環部のストッパー突起と嵌合するストッパーリング（１１２）を設けるものである。なお、キャップに設ける薄肉リブの幅、厚さ、個数は、その製品の使用目的に適合するような破断強度に設計するものである。
【００１１】
また、図１又は図４（ｂ）に示すように、開封用筒体（３００）は、上方外周面にはスパウトとの通常４個の摺動突起（３２０）を設け、下端には、複数個の三角状の開封刃（３１０）を欠刃部（３１１）を設けて垂設するものであり、欠刃部を設けるのは、封止フィルム（４００）を開封用筒体（３００）で破断したときに、封止フィルムの破断片（４０１）が、容器に収容されている内容物（３０）内に脱落しないようにするためのものである。
【００１２】
なお、上述の本発明の実施形態の開封刃内蔵口栓を頂部に突設した液体用紙容器は、通常の流通保管過程においては、外部の衝撃などにより開封することがなく、使用するときの開封状態は良好であり、また、いったん開封した口栓は、再封止しても、開封したことが外観から容易に判明することができた。
【００１３】
【発明の効果】
本発明の不正開封防止付開封刃内蔵口栓は、流通保管過程を経て使用されるまでの商品のバージン性を確保し、また、いったん口栓が開封されると、再封止しても開封したことが口栓の外観から明確に判明する。
【図面の簡単な説明】
【図１】本発明の一実施形態の不正開封防止付開封刃内蔵口栓の断面図である。
【図２】本発明の一実施形態のキャップの部分底面図である。
【図３】本発明の一実施形態のキャップが、開封するときに、下方の不正開封防止環部が分離した状態を示す説明図である。
【図４】（ａ）は、一例の開封刃内蔵口栓を取り付けた液体用紙容器の開封前の状態を示す説明図であり、（ｂ）は、開封したときの状態を示す説明図である。
【符号の説明】
１０……開封刃内蔵口栓
２０……液体用紙容器
２１……胴部
２２……頂部傾斜板
２３……注出孔
２４……口栓取付孔
３０……内容物
１００……スパウト
１１０……注出筒
１１１，２２１……螺合部
１１２……ストッパーリング
１２０……フランジ
２００……キャップ
２１０……天板
２２０……周壁
２２２……切込み線
２２３……薄肉リブ
２３０……不正開封防止環部
２３１……ストッパー突起
２４０……ガイド用内筒
２４１，３０１……案内斜面
３００……開封用筒体
３１０……開封刃
３１１……欠刃部
３２０……摺動突起
４００……封止フィルム
４０１……破断片
【図１】
0003948163.tif 000002
【図２】
0003948163.tif 000003
【図３】
0003948163.tif 000004
【図４】
0003948163.tif 000005